(57)【要約】【課題】操作部に対する汚染防止カバーの着脱が容易で、しかも挿入部と連結されている操作部の下端部側からカバー内への汚液の侵入を確実に防止することができる内視鏡操作部の汚染防止カバー係止構造を提供すること。【解決手段】内視鏡の操作部１と挿入部２との連結部付近８の外面を全周にわたって囲む状態に帯状の両面粘着テープ１０を貼り付け、その貼り付け部分から両面粘着テープ１０の両端部分を同方向に延出させてその延出部１０ａの内面どうしを貼り合わせ、操作部１を包む操作部汚染防止カバー２０の下端２２付近の内面部分を両面粘着テープ１０の外面に貼り付けるようにした。【選択図】　　　図１
2004073605.tif 000002
【特許請求の範囲】
【請求項１】
内視鏡の操作部と挿入部との連結部付近の外面を全周にわたって囲む状態に帯状の両面粘着テープを貼り付け、その貼り付け部分から上記両面粘着テープの両端部分を同方向に延出させてその延出部の内面どうしを貼り合わせ、上記操作部を包む操作部汚染防止カバーの下端付近の内面部分を上記両面粘着テープの外面に貼り付けるようにしたことを特徴とする内視鏡操作部の汚染防止カバー係止構造。
【発明の詳細な説明】
【０００１】
【発明の属する技術分野】
この発明は、内視鏡の操作部が使用中に汚染されないように被覆するための内視鏡操作部の汚染防止カバー係止構造に関する。
【０００２】
【従来の技術】
内視鏡を介して患者から患者への感染が起きないようにするためには、内視鏡の操作部を、使用中に汚染されないように被覆するのが望ましい。
【０００３】
そこで、操作部をシート状のカバーで包んだ状態で使用するようにしたものや（特開平４−３２５１３８号）、カバーを袋状に形成して、操作部全体を包み込むようにしたもの等がある（実開平６−６８７０８号）。
【０００４】
【発明が解決しようとする課題】
しかし、特開平４−３２５１３８号等に記載されているシート状のカバーの場合には、挿入部と連結されている操作部の下端部側からカバー内への汚液の侵入防止が不十分になっていた。
【０００５】
また、実開平６−６８７０８号等に記載されている袋状のカバーの場合には、操作部の下端部側からカバー内への汚液の侵入を防止するために、カバーに環状の弾性リングを一体に形成している。
【０００６】
そのため、カバーを操作部に対して着脱する際に、操作部の外側に出っ張っている操作部材等に弾性リングが引っ掛かる等して着脱作業がやり難く、特にカバーを操作部から取り外す際にはカバーに付着している汚液で操作部を汚染してしまうおそれがあった。
【０００７】
そこで本発明は、操作部に対する汚染防止カバーの着脱が容易で、しかも挿入部と連結されている操作部の下端部側からカバー内への汚液の侵入を確実に防止することができる内視鏡操作部の汚染防止カバー係止構造を提供することを目的とする。
【０００８】
【課題を解決するための手段】
上記の目的を達成するため、本発明の内視鏡操作部の汚染防止カバー係止構造は、内視鏡の操作部と挿入部との連結部付近の外面を全周にわたって囲む状態に帯状の両面粘着テープを貼り付け、その貼り付け部分から両面粘着テープの両端部分を同方向に延出させてその延出部の内面どうしを貼り合わせ、操作部を包む操作部汚染防止カバーの下端付近の内面部分を両面粘着テープの外面に貼り付けるようにしたものである。
【０００９】
【発明の実施の形態】
図面を参照して本発明の実施例を説明する。
図２は、操作部汚染防止カバー２０が内視鏡操作部１に被覆された状態を示す透視図であり、内視鏡は、操作部１の下端に可撓管状の挿入部２の基端が連結され、操作部１の後面の上端近傍にライトガイドケーブル３の基端が連結された構成になっている。
【００１０】
そして、操作部１の前面の上半部には送気送水及び吸引の操作を行うための操作釦４が配置され、側面には湾曲操作ノブ５が配置されている。６は処置具挿入口金である。
【００１１】
また、挿入部２が連結されている操作部１の下端部付近には、操作部汚染防止カバー２０の下側縁部２２付近を係止するためのカバー係止部８が、挿入部２よりやや大きな直径の円筒状に形成されている。
【００１２】
操作部汚染防止カバー２０は、例えばポリエチレンやポリプロピレン等のような可撓性に富んだ合成樹脂材又は弾力性のあるゴム材のシート等によって、操作部１全体を緩く被覆することができる袋状に形成されている。
【００１３】
ただし操作部汚染防止カバー２０は、後側縁部２１と下側縁部２２とが一つながりに連続的に開放されて他の部分が閉じた半開放状の袋になっているので、開放部分を操作部１に前方から被せるようにするだけで、図１に示される被覆状態にすることができる。
【００１４】
そして、処置具挿入口金６を操作部汚染防止カバー２０に突き通して、外方からカバー押さえ部材９を処置具挿入口金６に係合させることにより、操作部汚染防止カバー２０の一箇所が処置具挿入口金６部分に固定された状態になる。
【００１５】
また、操作部汚染防止カバー２０の後側縁部２１の上半部はライトガイドケーブル３が通過しているだけで大きく開口している。したがって、操作者はそこから操作部汚染防止カバー２０内に手を差し込んで、操作部１を直接握って保持することができる。
【００１６】
操作部１と挿入部２との連結部付近に形成されているカバー係止部８には、図２におけるＩＩＩ−ＩＩＩ断面を図示する図３にも示されるように、帯状の両面粘着テープ１０がカバー係止部８の外周面を全周にわたって囲む状態に貼り付けられ、その貼り付け部分から同じ方向に延出する両面粘着テープ１０の両端部分１０ａが内面どうしで全面において貼り合わされている。
【００１７】
そして、操作部汚染防止カバー２０の下側縁部２２付近の内面部分が両面粘着テープ１０の外面全面に貼り付けられ、それによって操作部汚染防止カバー２０の下側縁部２２がカバー係止部８に係止された状態になっている。
【００１８】
その結果、操作部汚染防止カバー２０の下側縁部２２は挿入部２側に対して殆ど開口することなく密封された状態になっており、下側縁部２２側から操作部汚染防止カバー２０内への汚液の侵入を確実に防止することができる。
【００１９】
図４、図５及び図１は、そのような、カバー係止部８に対する操作部汚染防止カバー２０の下側縁部２２の係止動作を順に示しており、図４に示されるように所定の長さにカットされた両面粘着テープ１０をカバー係止部８の外周面に貼り付ける。その際、両面粘着テープ１０の外面側は接着性のない保護紙等で被覆しておくとよい。
【００２０】
次いで、図５に示されるように、カバー係止部８に対する貼り付け部分から同じ方向に延出する両面粘着テープ１０の両端部分１０ａを内面どうしで全面において貼り合わせる。
【００２１】
そして、両面粘着テープ１０の外側から操作部汚染防止カバー２０の下側縁部２２をＵ字状に被せ、操作部汚染防止カバー２０の下側縁部２２付近の内面部分を両面粘着テープ１０の外面全面に貼り付ける。
【００２２】
そのようにして、図１に示されるように、操作部汚染防止カバー２０の下側縁部２２付近がカバー係止部８に封止状態に係止される。操作部汚染防止カバー２０を取り外すには、両面粘着テープ１０に対する貼り合わせ部を引き剥がせばよい。したがって、操作部１に対する操作部汚染防止カバー２０の着脱は極めて容易である。
【００２３】
なお、本発明は上記実施例に限定されるものではなく、例えば操作部汚染防止カバー２０は、上記実施例のような半開放の袋状のものに限らずシート状或いは完全な袋状等どのような形状のものであっても差し支えない。
【００２４】
【発明の効果】
本発明によれば、内視鏡の操作部と挿入部との連結部付近の外面に両面粘着テープを貼り付けて、操作部汚染防止カバーの下端付近の内面部分を両面粘着テープの外面に貼り付ければよいので、操作部に対する汚染防止カバーの着脱が容易であり、しかも挿入部と連結されている操作部の下端部側からカバー内への汚液の侵入を確実に防止することができる。
【図面の簡単な説明】
【図１】本発明の実施例の操作部汚染防止カバーが内視鏡の操作部に被覆された状態の部分透視図である。
【図２】本発明の実施例の操作部汚染防止カバーが内視鏡の操作部に被覆された状態の透視図である。
【図３】本発明の実施例の図２におけるＩＩＩ−ＩＩＩ断面図である。
【図４】本発明の実施例の操作部汚染防止カバーを取り付ける動作を示す部分斜視図である。
【図５】本発明の実施例の操作部汚染防止カバーを取り付ける動作を示す部分斜視図である。
【符号の説明】
１　操作部
２　挿入部
８　カバー係止部（連結部付近）
１０　両面粘着テープ
１０ａ　両端部分（延出部）
２０　操作部汚染防止カバー
２２　下側縁部（下端）
【図１】
2004073605.tif 000003
【図２】
2004073605.tif 000004
【図３】
2004073605.tif 000005
【図４】
2004073605.tif 000006
【図５】
2004073605.tif 000007